(57)【要約】  パイルガイド（１）は、ベースフレーム（３）と、ベースフレームが基部に載置している場合にパイルが基部に打ち込まれるときにパイルをガイドするためのパイルガイド部材（５）と、を備えて設けられる。パイルガイド部材は、作用位置と非作用位置との間でそれぞれ移動可能である複数のガイド部分（７）を備え、各ガイド部分は、ベースフレームに回動可能に取り付けられている。少なくとも１つのガイド部分は、重力下でガイド部材の非作用位置にガイド部材を開放するために、関連するカウンターウエイト（９）と操作可能に結合されるか又は結合可能であり、このため、少なくとも非作用位置では、カウンターウエイトの少なくとも一部と、関連するガイド部分と、は、互いに対して移動可能である。別の側面では、ガイド部分の少なくとも１つ及び／又はカウンターウエイトの少なくとも１つが、ベースフレームと及び／又は互いに取り外し可能に接続されている。方法も提供される。
2015531442.tif 000002
【特許請求の範囲】
【請求項１】
ベースフレーム（３）と、
前記ベースフレームが基部に載置している場合にパイルが前記基部に打ち込まれるときに前記パイルをガイドするためのパイルガイド部材（５）であって、前記パイルガイド部材が、作用位置と非作用位置との間でそれぞれ移動可能である複数のガイド部分（７）を備え、各ガイド部分が、前記ベースフレームに回動可能に取り付けられる、パイルガイド部材（５）と、
を備えるパイルガイド（１）であって、
少なくとも１つのガイド部分が、重力下で前記ガイド部材の非作用位置に前記ガイド部材を開放するために、関連するカウンターウエイトと操作可能に結合されるか又は結合可能であり、このため、少なくとも非作用位置では、前記カウンターウエイトの少なくとも一部と、前記関連するガイド部分と、が、互いに対して移動可能であることを特徴とするパイルガイド（１）。
【請求項２】
前記カウンターウエイト（９）の少なくとも一部が、前記関連するガイド部分と回動可能に接続されていることを特徴とする請求項１に記載のパイルガイド（１）。
【請求項３】
少なくとも１つのガイド部分（７）と、前記関連するカウンターウエイト（９）の少なくとも一部と、が、共通の回動軸（Ａ）回りで前記ベースフレームに対して回動可能であることを特徴とする請求項１又は２に記載のパイルガイド（１）。
【請求項４】
前記パイルガイドは、前記作用位置では、重力下で前記ガイド部材（５）を第１の非作用位置に開放するために、少なくとも１つの前記ガイド部分（７）の重心（ＣｏＧ７）が、前記回動軸（Ａ）の第１の横方向側に配置され、且つ前記関連するカウンターウエイト（９）の重心が、前記第１の横方向側と反対の第２の横方向側に配置可能であるか又は配置されるように構成され、
前記第１の非作用位置では、前記少なくとも１つのガイド部分の重心が、重力下で前記ガイド部材を第２の非作用位置にさらに開放するために、前記回動軸の前記第２の横方向側に配置されることを特徴とする請求項１から３のいずれか一項に記載のパイルガイド（１）。
【請求項５】
ベースフレーム（３）と、前記ベースフレームが基部に載置している場合にパイルが前記基部に打ち込まれるときに前記パイルをガイドするためのパイルガイド部材（５）であって、前記パイルガイド部材が、作用位置と非作用位置との間でそれぞれ移動可能である複数のガイド部分（７）を備え、各部分が、前記ベースフレームに回動可能に取り付けられる、パイルガイド部材（５）と、を備えるパイルガイド（１）であって、
少なくとも１つのガイド部分が、重力下で前記ガイド部材の非作用位置に前記ガイド部材を開放するために関連するカウンターウエイト（９）と操作可能に結合されるか又は結合可能であり、
前記ガイド部分の少なくとも１つ及び／又は前記カウンターウエイトの少なくとも１つが、前記ベースフレームと及び／又は互いに取り外し可能に接続されていることを特徴とするパイルガイド（１）、特に請求項１から４のいずれか一項に記載のパイルガイド。
【請求項６】
前記カウンターウエイトが、ウエイト付きアーム（１１，１３）を備え、前記アームが、長さが調節可能であり、且つ／又は前記ウエイト付きアームの少なくとも一部が、変形可能部材（１５）によって前記関連するガイド部分（７）から支持されていることを特徴とする請求項１から５のいずれか一項に記載のパイルガイド（１）。
【請求項７】
前記関連するガイド部分（７）の前記作用位置では、前記ウエイト付きアームが、前記ガイド部分の前記回動軸（Ａ）回りで水平に対しておよそ２０°から６０°の角度（ａ）で延在していることを特徴とする請求項６に記載のパイルガイド（１）。
【請求項８】
少なくとも１つのガイド部分（７）が、４５°を超える、好ましくは約６０°を超える、より好ましくは約９０°まで、前記作用位置から非作用位置への回動角度にわたって前記ベースフレームに対して回動可能であることを特徴とする請求項１から７のいずれか一項に記載のパイルガイド（１）。
【請求項９】
前記ガイド部材（５）が、パイルと及び／又はパイルが基部に打ち込まれるときに前記パイルガイドによってガイドされる前記パイルの対応する外形部材とスライド可能に係合するためのスペーサ部材（１９）を備え、
１つ以上のスペーサ部材が、少なくとも１つのガイド部分（７）に取り外し可能且つ／又は調節可能に取り付けられていることを特徴とする請求項１から８のいずれか一項に記載のパイルガイド（１）。
【請求項１０】
少なくとも１つのガイド部分（７）及び／又はカウンターウエイト（９）の回動軸（Ａ）の位置及び／又は向きは、前記ベースフレーム（３）に対して調節可能であることを特徴とする請求項１から９のいずれか一項に記載のガイドパイル（１）。
【請求項１１】
前記作用位置において前記ガイド部分（７）をロックするためのロック部を備えていることを特徴とする請求項１から１０のいずれか一項に記載のパイルガイド（１）。
【請求項１２】
前記ガイド部材（５）の部分及び／又は前記カウンターウエイト（９）を、前記ガイド部材（５）及び／又は前記カウンターウエイト（９）の非作用位置から作用位置へ復帰させるための機構（２５−３９）を備えていることを特徴とする請求項１から１１のいずれか一項に記載のパイルガイド（１）。
【請求項１３】
ベースフレーム（３）と、
前記ベースフレームが基部に載置している場合にパイルが前記基部に打ち込まれるときに前記パイルをガイドするためのパイルガイド部材（５）であって、前記パイルガイド部材が、作用位置と非作用位置との間でそれぞれ移動可能である複数の部分（７）を備え、それぞれの部分が、前記ベースフレームに回動可能に取り付けられる、パイルガイド部材（５）と、
を備えるパイルガイド（１）であって、
少なくとも１つのガイド部分（７）が、重力下で前記ガイド部材を前記ガイド部材の非作用位置に開放するために、関連するカウンターウエイト（９）と操作可能に結合されるか又は結合可能であり、
前記ガイド部分及び／又は前記カウンターウエイトの少なくとも１つが、前記ベースフレームに対する前記ガイド部分及び／又は前記カウンターウエイトの位置を調節するためにアクチュエータ（２５）と結合され、
前記アクチュエータが、前記ガイド部分及び／又は前記カウンターウエイトに調節可能に取り付けられた中間アーム（２９）に回動可能に取り付けられていることを特徴とするパイルガイド（１）、特に請求項１から１２のいずれか一項、そのうち特に請求項１２に記載のパイルガイド。
【請求項１４】
前記中間アーム（２９）が、長さが調節可能であり、且つ／又は角度が調節可能に前記ガイド部分（７）及び／又は前記カウンターウエイト（９）に取り付けられていることを特徴とする請求項１３に記載のパイルガイド（１）。
【請求項１５】
少なくとも請求項４に記載のパイルガイドを提供するステップと、ガイド部分（７）及び／又はカウンターウエイト（９）を交換するステップと、を備えることを特徴とするガイドパイル（１）を修正する方法。
【請求項１６】
パイルを基部に打ち込む、特にパイルを水中で基部に打ち込むための方法であって、
請求項１から１４のいずれか一項に記載のパイルガイド（１）を提供するステップであって、前記パイルガイドの少なくとも１つのガイド部分（７）が、前記作用位置では前記ガイド部分の回動軸（Ａ）の第１の横方向側に配置される重心（ＣｏＧ７）を有する、ステップと；
重力下で非作用位置に前記ガイド部材（５）を開放するステップと；
を備え、
前記開放するステップによって、前記少なくとも１つのガイド部分の重心が、前記第１の横方向側と反対の前記回動軸の第２の横方向側へ動かされ、
前記関連するカウンターウエイトに対して前記ガイド部分の少なくとも一部を移動させる間に、重力下でさらなる非作用位置に前記ガイド部材をさらに開放するステップを好ましくはさらに備えることを特徴とする方法。
【発明の詳細な説明】
【技術分野】
【０００１】
本発明は、パイルの打ち込み、より具体的に、排他的ではないが、例えば海底にパイルを直接突き刺すための水中でのパイルの打ち込みに関する。
【背景技術】
【０００２】
水中でのパイル打ちのためにパイルガイドを提供することが公知である（例えば、特許文献１（固定フレームパイルガイド）、特許文献２（ひれ付きフレーム／フォロワパイルガイド）及び特許文献３（方向制御パイルガイド）に開示されるようなシースチールリミテッドのパイルガイドの種類を参照）。このようなパイルガイドにより、パイルは、液圧式ハンマー、例えば蘭国の企業IHC Hydrohammer BVによって供給されるＩＨＣ液圧ハンマーを使用して海底に打ち込まれる。
【０００３】
特許文献１において説明された固定フレームパイルガイドは、ベースフレームと、ベースフレームが基部に載置している場合にパイルが基部に打ち込まれるときにパイルをガイドするためのパイルガイド部材と、を備えている。パイルガイド部材は、２つの部分を備え、２つの部分のそれぞれは、ベースフレームに回動可能に取り付けられている。このように、２つの部分のそれぞれは、それぞれの回動軸周りでの回転によって、作用位置と非作用位置との間でベースフレームに対して移動可能である。２つの部分は、ラッチ機構によって作用位置で保持され、カウンターウエイトが、ラッチ機構が解除されるときに部分をそれらの非作用位置に促すために設けられる。このようなパイルガイドにより、単に、ラッチ機構を解除することと、ハンマーがパイルガイドを塞ぐことを防止するためにパイルガイドの部分をそれらの非作用位置に回転させることを可能にすることと、によって、パイルが基部に導入されたときにパイルから離れるようにパイルガイドを移動させるためにパイル打ちを中断する必要なくパイルを基部に完全に打ち込むことが可能となる。
【０００４】
固定フレームパイルガイドのパイルガイド部材の２つの部分は、作用位置にあるときに、それを通してパイルをガイドするために中空の略シリンダ状部分を規定する。略シリンダ状部分は、その内周面に溶接された複数のリブ状スペーサを有する。各リブ状スペーサは、細長く、且つ略シリンダ状部分の中央の長手軸と平行に整列されている。径方向における各リブ状スペーサの厚さは、パイルガイド部材を介して打ち込まれるパイルとの安定したスライド嵌合を提供するために、（例えば研削によって）調節される。このように、スペーサは、追加的なコストがかかったとしても、パイルの外径と中空シリンダ状部分の内径との間の任意の寸法的許容差又は緩みに対処するために使用される。それは、各スペーサを調節するために時間がかかるだけでなく、スペーサの溶接及び除去は、パイルガイド部材を損傷させる（例えば熱疲労）リスクがある。同じ問題が、それを通してパイルをガイドするために略中空のシリンダ状部分を規定する他のパイルガイドのパイルガイド部材のためのスペーサに当てはまる（例えば、特許文献３及び４において説明されるパイルガイド参照）。これら文献の内容全体は、参照することによって本明細書に組み込まれる。
【先行技術文献】
【特許文献】
【０００５】
【特許文献１】国際公開第９９／１１８７２号パンフレット
【特許文献２】国際公開第０１／９２６４５号パンフレット
【特許文献３】国際公開第０３／０７４７９５号パンフレット
【特許文献４】国際公開第２００７／０６６０７８号パンフレット
【発明の概要】
【発明が解決しようとする課題】
【０００６】
固定フレームパイルガイドは、非常に成功しているが、本出願人は、例えば重量を減少させることと、パイルガイドの輸送／保管を容易にさせることを目的としてコンテナ輸送により適している構造を提供することと、によって、オリジナルの構成を改良することを目指す。
【課題を解決するための手段】
【０００７】
本発明の第１の側面に従えば、パイルが基部に打ち込まれるときにパイルを支持するためのパイルガイドであって、ベースフレームと、ベースフレームが基部に載置している場合にパイルが基部に打ち込まれるときにパイルをガイドするためのパイルガイド部材と、を備える、パイルガイドが提供される。パイルガイド部材は、作用位置と非作用位置との間でそれぞれ移動可能である複数のガイド部分を備え、各ガイド部分は、回動軸周りに回転するために、ベースフレームに回動可能に取り付けられている。少なくとも１つのガイド部分は、重力下でガイド部材の非作用位置にガイド部材を開放するために、関連するカウンターウエイトと操作可能に結合されるか又は結合可能であり、このため、少なくとも非作用位置では、カウンターウエイトの少なくとも一部と、関連するガイド部分と、が、互いに対して移動可能である。
【０００８】
従って、カウンターウエイトの少なくとも一部、好ましくはカウンターウエイト全体は、ガイド部分に対して移動することができ、このため、全体としてのガイド部分とカウンターウエイトとの組立体は、所望の方式で変形可能である。これは、パイルガイドの操作、メンテナンス及び／又は保管を容易にする。カウンターウエイト及びガイド部分は、動力を供給され且つ／又は作動されることなくそれらが互いに対して自由に移動できる動作範囲を有し、パイルガイドを簡素化し、次の使用のためにガイド部材の作用位置への復帰を容易にする。さらに、ガイド部分と、関連するカウンターウエイトと、の相対位置を調節することによって、ガイド部分の運動範囲の制限が減少されるか又は防止される。特に、カウンターウエイトは、関連するガイド部分の作用位置と非作用位置との間での移動によって、予想通りに変形されるか又は“邪魔にならないように引かれる”ように構成される。それぞれ１つの関連するカウンターウエイトを有する２つの対向するガイド部分は、通常、パイルガイドの動作に十分である。
【０００９】
一実施形態では、カウンターウエイトの少なくとも一部は、関連するガイド部分と回動可能に接続されている。これは、特に、カウンターウエイトが、ガイド部分の回動軸と略平行である回動軸周りに回動可能であるときに、関連するガイド部分の回動とのカウンターウエイトの協働を容易にする。
【００１０】
少なくとも１つのガイド部分と、関連するカウンターウエイトの少なくとも一部と、は、共通の回動軸周りでベースフレームに対して回動可能であってもよい。これは、パイルガイドの設計、建設及び／又は使用を容易にし、損傷を減少させる。
【００１１】
特に効率的な一実施形態では、パイルガイドは、作用位置では、重力下でガイド部材を第１の非作用位置に開放するために、少なくとも１つのガイド部分の重心が、回動軸の第１の横方向側に配置され、且つ関連するカウンターウエイトの重心が、第１の横方向側と反対の第２の横方向側に配置可能であるか又は配置されるように構成され、第１の非作用位置では、少なくとも１つのガイド部分の重心が、重力下でガイド部材を第２の非作用位置にさらに開放するために、第２の横方向側に配置される。
【００１２】
カウンターウエイトに起因して、ガイド部分と、ガイド部分の関連するカウンターウエイトと、の組立体の効果的な複合重心が、ガイド部分自体の重心に対して回動軸の反対側に位置決めされるか又は少なくとも位置決め可能である。従って、ガイド部分とカウンターウエイトとの組立体は、重力下でガイド部分の重心からオフセットされた回動軸周りに回動する。それとともに、カウンターウエイトによって支援された、ガイド部材を作用位置から第１の非作用位置へ開放する第１段階では、ガイド部分の重心は、回動軸を越えて横方向に導かれ、この後に、ガイド部材を第１の非作用位置から第２の非作用位置へさらに開放する選択的な第２段階では、さらなる開放が、カウンターウエイトを必要とすることなくガイド部分のみの重心に作用する重力を受けて影響を与えられる。
【００１３】
一側面では、上述したタイプのパイルガイド及び／又は実施形態は、ベースフレームと、ベースフレームが基部に載置している場合にパイルが基部に打ち込まれるときにパイルをガイドするためのパイルガイド部材であって、パイルガイド部材が、作用位置と非作用位置との間でそれぞれ移動可能である複数の部分を備え、各部分が、ベースフレームに回動可能に取り付けられる、パイルガイド部材と、を備えて提供され、少なくとも１つのガイド部分が、重力下でガイド部材の非作用位置にガイド部材を開放するために、関連するカウンターウエイトと操作可能に結合されるか又は結合可能である。ガイド部分の少なくとも１つ及び／又はカウンターウエイトの少なくとも１つが、ベースフレームと及び／又は互いに取り外し可能に接続、例えばボルト締め且つ／又はロックされる。
【００１４】
このようなモジュール式パイルガイドは、パイルガイドの輸送を容易にし、且つそれぞれのガイド部分及び／又はカウンターウエイトの交換を可能にする。
【００１５】
一実施形態では、カウンターウエイトが、長さが調節可能であるウエイト付きアームを備える場合、パイルガイドの保管及び輸送が容易にされる。
【００１６】
一実施形態では、カウンターウエイトが、ウエイト付きアームを備える場合、ウエイト付きアームの少なくとも一部が、変形可能部材によって関連するガイド部分から支持され、変形可能部材は、引張強度のみのために設計されてもよい。例えば、１つ以上のチェーン、ケーブルなどを備える折り曲げ可能、可撓性且つ／もしくは折り畳み式部分又はフレームが使用されてもよいが、折り畳み式ストラット及び／又は液圧式シリンダが設けられてもよい。チェーン及びケーブルは、比較的低い重量及び体積を有するシンプル且つ信頼性を有する装置である。チェーンは、カウンターウエイト及び／又はガイド部分に異なるシャックルを取り付けることによって長さの調節を容易にする。折り畳み式ストラット及び特に液圧式シリンダは、例えばリモート操作及び／又はブレーキとして使用するために改良された制御を提供してもよい。
【００１７】
これら後者の実施形態では、例えばガイド部分及び／又はカウンターウエイトへの取付位置を変えることによる、カウンターウエイトアームの長さの調節及び／又は変形可能支持部材の調節は、関連するガイド部分を作用位置から非作用位置へ移動させるためにカウンターウエイト（の重心）によって提供することができる有効モーメント及び／又はレバーアームの調節を可能にする。これは、モジュール式パイルガイドにおける異なるガイド部分を考慮するために使用される。また、それは、傾いた基部表面上での及び／又は鉛直でない方向に斜めにパイルを打ち込むためにパイルガイドの操作を容易にし、これらのケースでは、水平な基部表面及び鉛直に方向づけられたガイドの理想的なケースと比較すると、ガイド部分の重心は、その回動軸とともにベースフレームに対して横方向にシフトされている。
【００１８】
一実施形態では、少なくとも１つのガイド部分の重心は、作用位置では、回動軸の第１の横方向側に配置され、その関連するカウンターウエイトは、重力下で作用位置に向かってガイド部材を促すために、少なくとも１つのガイド部分から操作可能に結合解除される。これは、ガイド部材をその作用位置に維持するためのラッチ機構上の力を減少するか、又はこのようなラッチシステムを完全に取り除くことを可能にする。例えば、作用位置では、カウンターウエイトは、関連するガイド部分に対して持ち上げられ、例として支持部材を変形させる、例えば支持チェーンを緩め、これにより、それらを操作可能に結合解除し、それから、ガイド部材を開放するために、カウンターウエイトは、関連するガイド部分と係合させられ、例えば重力下でカウンターウエイトを落下させ、このため、カウンターウエイトは、ガイド部分から支持チェーンによって支持され、回動軸周りでガイド部分を回動させるためにガイド部分にけん引力を働かせる。
【００１９】
カウンターウエイトは、ウエイト付きアームであって、関連するガイド部分の作用位置では、ガイド部分の回動軸回りで水平に対しておよそ２０°から６０°の角度で、例えばおよそ３０°から４５°の範囲内で延在するように構成された、ウエイト付きアームを備えてもよい。水平に対して比較的小さい角度のために、カウンターウエイトの有効レバーアームは、比較的高く且つ比較的軽量のカウンターウエイトであり、且つ／又は比較的短いカウンターウエイトアームは、ガイド部分をその作用位置から回動させるのに十分である。ガイド部材の開放中のガイド部分及びカウンターウエイトの小さい回動角度は、ガイド部分の重心をベースフレームに対してガイド部分の回動軸の第１の横方向側から反対の第２の横方向側へシフトさせるのに十分である。この後に、ガイド部分は、重力下でそれ自体の重量によって第２の横方向側へさらに移動し、且つカウンターウエイト（の運動）は、さらに必要とされない。例えば、このようなさらなる移動中に、カウンターウエイトは、ベースフレームに載置する一方で、ガイド部分は、ベースフレーム及びカウンターウエイト双方に対して回動する。
【００２０】
一実施形態では、少なくとも１つのガイド部分が、作用位置から非作用位置への回動角度にわたって、又は４５°をさらに超える、好ましくは約６０°を超える、より好ましくは約９０°まで、ベースフレームに対して回動可能である。１つのガイド部材を形成する互いに反対の複数のこのようなガイド部分は、その後、約９０°，１２０°又は約１８０°の開放角度でさえガイド部材を開放することができる。従って、より大きいパイル打込ハンマー及びパイル装備品が、通過し、且つ／又はより良好なアクセスが、例えばメンテナンス及び／又は補修のために、全体としてガイド部分の内部及びガイド部材の部分に提供される。
【００２１】
約９０°の回動角度を有するガイド部分は、ベースフレームに載置され、例えば可能であれば間にあるカウンターウエイト（の一部）とともにベースフレームと略平行に延在している。これは、例えば重心全体の高さを減少させ且つ従って安定性を増大させることによって、輸送及び保管を容易にする。
【００２２】
パイルガイド、特に別に本明細書で説明され且つ／又は請求項に記載されたパイルガイドでは、ガイド部材は、パイルと及び／又はパイルが基部に打ち込まれるときにパイルガイドによってガイドされるパイルの対応する外形部材とスライド可能に係合するためのスペーサ部材を備え、１つ以上のスペーサ部材は、少なくとも１つのガイド部分に取り外し可能且つ／又は調節可能に取り付けられてもよい。上述されたように、スペーサは、従来、ガイド部材に溶接され、且つそれらを切断することによってのみ置換又は補修のみされていた。現在、溶接は、必要とされず、且つ上記のスペーサのボルト締め又は別の除去可能な固定は、十分であることが分かった。さらに、パイルガイド部分が、大きい角度、例えば作用位置からベースフレームに向かって６０°又は９０°に回動される場合、関連するスペーサ部材へのアクセスが、容易にされ、且つ迅速な調節が、可能とされる。
【００２３】
一実施形態では、少なくとも１つのガイド部分及び／又はカウンターウエイトの回動軸の位置及び向きは、ベースフレームに対して調節可能である。例えば、パイルガイドは、１つ以上の調節可能なヒンジを備えてもよい。これは、１つ以上の回動軸の所望の方向での方向づけを容易にする。より重要なことに、これは、傾いた基部表面に対するパイルガイド方向の調節及び／又は鉛直でない方向にパイルを斜めに打ち込むための調節を容易にする。
【００２４】
パイルガイドは、ガイド部材の部分及び／又はカウンターウエイトをそれらの非作用位置から作用位置へ復帰させるための機構をさらに備えてもよい。機構は、パイルガイド部材及び／又はカウンターウエイトの非作用位置から作用位置のみへの移動を駆動するように構成されてもよく、すなわち、機構は、それぞれの部分が（例えばラッチにより）それらの作用位置にロックされると係合解除され、このため、機構は、解除されるときに非作用位置への次の移動を妨げない。
【００２５】
一側面では、上述したタイプのパイルガイド及び／又は実施形態は、ベースフレームと、ベースフレームが基部に載置している場合にパイルが基部に打ち込まれるときにパイルをガイドするためのパイルガイド部材であって、パイルガイド部材が、作用位置と非作用位置との間でそれぞれ移動可能である複数の部分を備え、各部分が、ベースフレームに回動可能に取り付けられる、パイルガイド部材と、を備えて提供され、少なくとも１つのガイド部分は、重力下でガイド部材をガイド部材の非作用位置に開放するために、関連するカウンターウエイトと操作可能に結合されるか又は結合可能である。パイルガイドでは、ガイド部分及び／又はカウンターウエイトの少なくとも１つが、ベースフレームに対するガイド部分及び／又はカウンターウエイトの位置を調節するためにアクチュエータと結合される。アクチュエータは、ガイド部分及び／又はカウンターウエイトに調節可能に取り付けられた中間アームに回動可能に取り付けられる。
【００２６】
アクチュエータは、液圧式シリンダを備えてもよい。調節可能な取り付けに起因して、アクチュエータのガイド部分及び／又はカウンターウエイトとの係合ポイントは、アクチュエータの経路、運動及び／又は力を制限することを考慮するために変えることができる。
【００２７】
後者のパイルガイドでは、中間アームは、長さが調節可能であるが、好ましくは、簡素性及びロバストネスのために剛性を有し、且つ／又は中間アームは、角度が調節可能にガイド部分及び／又はカウンターウエイトに取り付けられてもよい。特に、中間アームは、ベースフレームにガイド部分の回動軸及び／又はカウンターウエイトに対して略接線方向へ略径方向の間の範囲に配置して延在してもよい。
【００２８】
一側面では、本明細書に記載されたモジュール式パイルガイドを提供するステップと、ガイド部分及び／又はカウンターウエイトを交換するステップと、を備える方法が提供される。
【００２９】
別の側面では、パイルを基部に打ち込む、特にパイルを水中で基部に打ち込むための方法であって、本明細書において説明したパイルガイドを提供するステップであって、パイルガイドの少なくとも１つのガイド部分が、作用位置では回動軸の第１の横方向側に配置される重心を有する、ステップと；重力下で非作用位置にガイド部材を開放するステップと；を備え、開放するステップによって、少なくとも１つのガイド部分の重心が、第１の横方向側と反対の回動軸の第２の横方向側へ動かされる、方法が提供される。好ましくは、方法は、関連するカウンターウエイトに対してガイド部分の少なくとも一部を移動させる間に、重力下でさらなる非作用位置にガイド部材をさらに開放するステップをさらに備える。
【００３０】
上述した側面は、例のために本発明の実施形態を示す図面を参照して、さらなる細部及び利益を以下でさらに説明される。
【図面の簡単な説明】
【００３１】
【図１】作用位置にある改良されたパイルガイドの側面図である。
【図２】第１の非作用位置にある図１のパイルガイドの側面図である。
【図３】完全に開放された、第２の非作用位置にある図１のパイルガイドの側面図である。
【図４】作用位置にある図１のパイルガイドの等角図である。
【図５】図４の細部Ｖを示す。
【図６】別の視野角から図４の細部Ｖの中央部分を示す。
【発明を実施するための形態】
【００３２】
図面は、概略的であり、必ずしも縮尺通りではないことと、本発明を理解するために必要とされない細部は、省略される可能性があることと、に留意されたい。用語“上方へ”、“下方へ”、“下に”、“上に”などは、別に説明されないかぎり、図面において方向づけられるように実施形態と関係する。さらに、少なくとも実質的に同一であるか又は少なくとも実質的に同一の機能を実行する要素は、同じ符号で示される。
【００３３】
図１から図４は、パイルが基部に打ち込まれるときにパイルを支持するためのパイルガイド１を示している。パイルガイド１は、ベースフレーム３と、ベースフレームが基部に載置している場合にパイルが基部（図示せず）に打ち込まれるときにパイル（図示せず）をガイドするためのパイルガイド部材５と、を備えている。パイルガイド部材５は、中心軸Ｃに沿って延在し、且つ概略凹形本体部分７Ａ及び支持フレーム７Ｂを備える２つのガイド部分７を備え、各ガイド部分７は、それぞれの回動軸Ａ周りに回転するためにベースフレーム３に回動可能に取り付けられ、且つ作用位置（図１）と非作用位置（図２）との間で移動可能である（以下を参照）。回動軸Ａは、通常、互いに平行に且つ中心軸Ｃ（図４）に対して垂直に延びる。概して、パイルガイド１は、水中で海底、河底などにパイルを打ち込むために使用され、且つベースフレーム３は、“マッドマット”と称されてもよい。
【００３４】
図１及び図４で最もよく分かるように、各ガイド部分７は、関連するカウンターウエイト９と結合されている。本実施形態では、各カウンターウエイト９は、剛性アーム１３上に支持されたウエイト１１を備え、剛性アーム１３は、それぞれの回動軸Ａ周りに回転するためにベースフレーム３に回動可能に取り付けられ、且つ少なくともガイド部材５の作用位置（図１）では、（概略的に示される）チェーン１５（の一組）によって関連するガイド部分７から支持されている。ここで、チェーン１５は、開放可能なＤシャックル（図５）により、カウンターウエイト及びガイド部分に取り外し可能に取り付けられる。しかしながら、異なる連結装置及び／又は支持部材が設けられ、且つカウンターウエイトのアーム１３が延在可能となるように構成されてもよい。また、カウンターウエイトは、異なって形成され、且つ互いに対して移動可能であるいくつかの部分を有してもよい。ガイド部分７の内側では、選択的に除去可能なスペーサ部材１９が、例えば上述された特許文献３に従って、成形されたパイルをガイドするため且つ可能であれば適切に回転させるために設けられている（図４では、パイルは図示されていない）。
【００３５】
各ガイド部分７及びその関連するカウンターウエイト９（のアーム１３）は、ベースフレーム３に対してだけでなく、互いに対しても回動回動可能であり、本実施形態では、それぞれの共通の回動軸Ａ周りに独立して回動可能であるが、それぞれ異なる軸周りに回動可能であってもよい。図１及び図４から明らかなように、チェーン１５の有効長さを調節することによって、ガイド部材５の作用位置でのベースフレーム３に対するカウンターウエイトのアーム１３の延在角度は、例えばカウンターウエイト９の重心及び／又は運動を調節するために適切に調節される。
【００３６】
図１から図３は、ベースフレーム３に対するガイド部材部分７のさまざまな位置を示す、パイルガイド１の考えられる使用を示す。作用位置（図１）では、ガイド部分７（の本体部分７Ａ）は、ともに、略鉛直に延びる長手軸に沿ってそれを通してパイルをガイドするための中空シリンダを規定する。ガイド部分７は、適切なロック機構、例えばラッチ（図示せず）によって作用位置において保持される。ガイド部分７、及び従ってそれらのそれぞれの重心ＣｏＧ７は、通常、ガイド部材５に対してそれぞれの回動軸Ａの横方向内側に配置されている（図１の回動軸Ａを通る鉛直破線を参照）。しかしながら、各カウンターウエイト９は、ガイド部分７と、関連するカウンターウエイト９と、の組立体の共同重心ＣｏＧ７９が、パイルガイド部材５に対して回動軸Ａの外側に配置される（図１）ように構成されている。従って、ロック機構が解除されると、各部分７は、重力下で第１の非作用位置へ外側に回転し、ガイド部材５を開放し、これによって、カウンターウエイト９は、ベースフレーム３に載置するようになる（図２）。回動軸Ａは、ガイド部分７に対して偏心しており、このため、ガイド部分７は、全体としてパイルから離れるように回動されることができる（図示せず）ことに留意されたい。示される実施形態の図２では、両ガイド部分７の最も近い分離が、回動軸Ａの分離にほぼ等しくさえある。重要なことに、上記の回転によって、ガイド部分７自身の重心ＣｏＧ７が、回動軸Ａの横方向内側から反対の横方向外側へシフトされる。これは、重力下でその自身の重量によってガイド部分７の回動軸Ａ周りのさらなる回転を駆動するモーメントを提供し、ガイド部材５をさらに開放する。最後に、ガイド部分７がベースフレーム３上で略水平に配置された、図３に示される別の非作用位置が、カウンターウエイト９に対して回動することで達成され、これは、ガイド部分７の関連するカウンターウエイト９に対するガイド部分７の相対回転運動によって、且つ支持チェーン１５の変形（緩み）によって容易にされる。このような位置では、パイルガイド１は、容易に輸送され、保管され、且つ／又は供給される。例えば、図３及び図４を比較することで最もよく分かるように、スペース部材１９及び支持部材１５は、従ってメンテナンス及び／又は交換のために容易にアクセス可能になる。
【００３７】
要約すると、パイルガイドの操作及び使用は、以下のステップを備える：
ａ）  パイルガイド１を例えば水中の基部、海底上に配置するステップと；
ｂ）  好ましくはステップａの前に、しかしながら可能であればステップａの間及び／又はステップａの後に、ガイド部材５を作用位置に配置するステップであって、好ましくは、作用位置においてガイド部分７に掛け金をかけることを含む、ステップと；
ｃ）  パイルがパイルガイド部材５によって少なくとも部分的に支持されるように、パイルガイド１内に打ち込まれるパイルを配置するステップと；
ｄ）  基部においてパイル自身が安定するポイントまで、パイルを基部に打ち込むステップと、
ｅ）  ガイド部材５を非作用位置に開放するステップであって、
ｆ）    例えばガイド部分７を作用位置に保つための選択的ラッチをロック解除するステップと；
ｇ）    ガイド部分の重力の作用に対抗して且つガイド部分７の重心ＣｏＧ７を相殺するのに十分に、例えば鉛直から離れるように約３０°／水平に対して６０°、カウンターウエイト９がガイド部分７を後退させることを可能にするステップと；
ｈ）    カウンターウエイト９の少なくとも一部を変形させる間、例えばカウンターウエイト９が余剰のベースフレーム／マッドマット３上に横になる間、ガイド部分７が重力を受けてさらに開放することを可能にする、例えば、鉛直及び水平に対しておよそ４５°までガイド部分７をさらに開放するステップと；
を備えるステップと；
ｉ）  パイルの最終的な侵入のために、パイル打込用船舶装具、例えばパイルアイプレート及び／又は打込ハンマーが、開放されたガイド部材５を通過することを可能にするステップと；
を備える。
【００３８】
ガイド部材は、鉛直から約４５°〜６０°／水平から４５°〜３０°よりもさらに開放されるが、通常、ガイド部材は、特に陸上にある間に、輸送、分解及び／又はスペーサ調節のためにのみ完全に開放される。次の使用、例えば別のパイルのために、ガイド部分は、作用位置に戻るように回動され、且つその結果、カウンターウエイトは、例えば開放作用を逆にするシンプルな稼働で復帰される。
【００３９】
例えば傾いた基部表面上で使用する場合に、ベースフレーム３及びガイド部材５の相対的な向きを調節するために、調節可能な回動マウント２１が設けられる。これらマウント２１により、ヒンジ又は回動部分は、ベースフレーム３に対して上昇又は下降され、一方又は双方の回動軸Ａの一側又は両側は、公知の方式でベースフレーム３に対してそれぞれの回動軸Ａを再位置決め及び／又は傾斜させるために調節され、それにより、ガイド部材５の中心軸Ｃを調節する。
【００４０】
ガイド部材部分７及び／又はカウンターウエイト９は、適切な昇降及び／又は持上装置によって（例えば、フォークリフト及び／又はクレーンを選択的取付部２３に接続することによって）、それらの非作用位置から作用位置へ導かれ且つ／又は復帰される。示されるパイルガイドでは、ガイド部分７及びカウンターウエイト９は、ガイド部分７と、関連するカウンターウエイト９と、を接続解除する（例えば、チェーン１５の端部を取り外す）ことによって、独立して復帰され、ガイド部分７を作用位置に復帰及びロックし、且つ続いてカウンターウエイト９を持ち上げ、カウンターウエイト９を支持部によりそれぞれの関連するガイド部分７と再接続する。従って、ガイド部分７とカウンターウエイト９との一体的な組立体が持ち上げられるときよりも、“より軽量の”ツールが、使用される。
【００４１】
しかしながら、示されるパイルガイド１は、ガイド部材部分７とカウンターウエイト９とをそれらの非作用位置から作用位置へ復帰させるための選択的機構を備えている（特に、図４から図６参照）。機構は、液圧式シリンダ２５の形態にある、ベースフレームに対するガイド部分７の位置を調節するためのアクチュエータ２５を備えている。アクチュエータは、シリンダ状スリーブの一部を形成するガイド部分７の本体部分７Ａに直接取り付けられてもよいが、示される実施形態では、アクチュエータ２５は、回動軸Ａ２５周りに回動可能である中間アーム２７に取り付けられている。続いて、中間アーム２７は、取付部２９を介してガイド部分７（の支持フレーム７Ｂ）のヒンジ部分３１に取り付けられ、このため、アーム２７は、異なる形態で取付部２９に固定可能である。本実施形態では、図６において最もよくわかるように、取付部２９は、留め具３９によりアーム２７の対応する孔にペアで接続された３つの貫通孔３３，３５，３７のセットを備えている（図４から図６に示されるように、孔３３及び３５の組又は貫通孔３３及び３７の組それぞれ）。従って、回動軸Ａ周りのガイド部分７（の支持フレーム７Ｂ）に対するアーム２７及びアクチュエータ２５の係合位置は、変えることができる。調節可能な取付部に起因して、ガイド部分７及び／又はカウンターウエイト９に対するアクチュエータの係合ポイントは、アクチュエータ２５の経路、運動及び／又は力を制限することを考慮するために変えることができる。例えば、これは、作用位置と図２に示される第１の非作用位置及び図３に示される第２の非作用位置との間でのガイド部分７の回転中におけるアクチュエータ２５のストローク、並びに／又はベースフレーム３に対する回動軸Ａの上昇及び／又は傾斜を考慮することを可能にする。従って、比較的短いストロークを有するアクチュエータ２５が十分である。より多く及び／もしくは異なる配置並びに／又は異なる取付技術が、アクチュエータを適切に取り付けるために使用されてもよいことに留意されたい。
【００４２】
図４から図６、特に図５で最もよく分かるように、示される実施形態では、各ガイド部分７及びカウンターウエイト９は、選択的に、回動組立体に、回動組立体によりベースフレームに、且つそれぞれのボルト締め取付部を介して互いに、取り外し可能に取り付けられる。これは、例えば、保管、輸送及び／又はメンテナンスのために、ガイド部分７及び／又はカウンターウエイト９を除去及び／又は交換することを可能にする。また、これは、異なるタイプ又はサイズのガイドパイルに異なるガイド部分を使用するために、パイルガイド１の修正を容易にする。
【００４３】
パイル打込の厳しい状況、特に、沖合の海中でのパイル打込を考慮して、パイルガイドは、従来、継続的に増大されたロバストネス及び簡素性を有して開発され、部品の数を減少させ、且つ／又は単一の物体及び／もしくは可能な限り実質的に永久にともに固定された（例えば溶接又はリベット打ちされた）物体として部品を提供してきた。現在、このようなロバストネスが、実際には、必要とされないことと、従来の方式に対してパイルガイドの複雑性を増大させること、部分を互いに対して移動可能及び／又は取り外し可能にすることによって、パイルパイルガイドの全重量が、大幅に減少され、その稼働の柔軟性が非常に増大されることと、が分かった。
【００４４】
本発明は、上述した実施形態に限定されず、特許請求の範囲内で複数の方式に変更されることができる。例として、通常操作では、ガイド部分が、図１の作用位置と、図２に全体的に示されるような非作用位置と、の間で使用され、且つ図３に全体的に示されるようなより完全に開放した位置が、例えば適切な停止部及び／又はアクチュエータ２５の取付装置２７，２９，３１の調節によって輸送及び／又はメンテナンスのためのみに使用されるように、パイルガイドを構成することが可能である。
【００４５】
さらに、より多くのガイド部分が使用され、ガイド部材及び／又はガイド部分フレームが異なり、ベースフレームがより小さく、より大きく且つ／又は異なって形成されてもよい。また、複数のパイルガイドが、可能であればマルチパイルガイドテンプレートに取り外し可能に結合されてもよい。
【００４６】
上昇装置のための及び／又はリモート稼働車両（ＲＯＶ）との接続のため、例えば所要電力のための接続部が、設けられてもよい。
【００４７】
特別な実施形態のために又は特別な実施形態に関して説明された要素及び態様は、明確に記載されない限り、他の実施形態の要素及び態様と適切に組み合わせられてもよい。
【符号の説明】
【００４８】
１  パイルガイド、３  ベースフレーム、５  パイルガイド部材、７  ガイド部分、９  カウンターウエイト、１１，１３  ウエイト付きアーム、１５  変形可能部材、１９  スペーサ部材、２５−３９  機構、ａ  角度、Ａ  回動軸、ＣｏＧ７  重心
【図１】
2015531442.tif 000003
【図２】
2015531442.tif 000004
【図３】
2015531442.tif 000005
【図４】
2015531442.tif 000006
【図５】
2015531442.tif 000007
【図６】
2015531442.tif 000008
【国際調査報告】
2015531442.tif 000009
2015531442.tif 000010